(57)【要約】【課題】記録媒体の第２面を記録する前の待機状態中に、記録媒体の落下や位置ズレを防止しつつ省電力化を図ることができる画像記録装置を提供すること。【解決手段】表面（第１面）に記録がなされ裏面（第２面）に記録がなされる前の記録用紙１０３を乾燥するために、その記録用紙１０３が乾燥待機状態１又は乾燥待機状態２となると、各種センサ及びモータへの電源供給を遮断する省電力モードへ移行する。また、省電力モードへ移行して第１ローラ４５への電源供給が遮断されたとしても、記録用紙１０３は第１ローラ４５と第２ローラ４６との間で挟持され且つ排紙トレイ２１により下方から支持される。よって、記録用紙１０３の落下や位置ズレを防止しつつ省電力化を図ることができる。【選択図】図６
2009083380.tif 000002
【特許請求の範囲】
【請求項１】
インクを吐出して記録媒体の第１面および第２面に記録を行う両面印刷機能を有する画像記録装置において、
前記記録媒体を搬送する搬送手段と、
その搬送手段を駆動する駆動手段と、
その駆動手段により前記搬送手段が駆動されて前記記録媒体が搬送される搬送経路と、
その搬送経路に位置し、前記記録媒体の一部分を挟持する挟持手段と、
前記記録媒体の前記第１面に記録がされた後であって前記記録媒体の前記第２面に記録がされる前に、前記記録媒体が前記挟持手段によって挟持された状態で、少なくとも前記駆動手段への電源供給を遮断する省電力モード手段とを備えていることを特徴とする画像記録装置。
【請求項２】
前記記録媒体を排出する排出トレイを備え、
前記挟持手段は、前記第１面に記録がされた記録媒体の搬送方向における後側端部を挟持するものであり、
前記排出トレイは、前記記録媒体のうち、前記挟持手段が挟持している部分よりも前記第１面の搬送方向前側を支持していることを特徴とする請求項１記載の画像記録装置。
【請求項３】
前記第１面に記録がされた記録媒体を前記搬送経路内に所定時間停止させる停止手段を備え、
前記省電力モード手段は、前記記録媒体が前記停止手段によって停止されている場合に、少なくとも前記駆動手段への電源供給を遮断するものであることを特徴とする請求項１又は２に記載の画像記録装置。
【請求項４】
前記省電力モードに移行してからの経過時間を計測する計測手段と、
その計測手段によって計測される経過時間が、予め記憶された前記第１面に記録がされた前記記録媒体の乾燥時間を経過した場合に、前記省電力モードから通常モードへ復帰させる通常モード復帰手段とを備えていることを特徴とする請求項１から３のいずれかに記載の画像記録装置。
【発明の詳細な説明】
【技術分野】
【０００１】
本発明は、画像記録装置に関するものである。
【背景技術】
【０００２】
特開２００７−９１３９８号公報には、両面印刷機能を有する画像形成装置において、記録用紙の第１面に記録がされた後で且つ、記録用紙の第２面を記録する前に、記録用紙を所定時間乾燥させる画像形成装置が開示されている。この画像形成装置では、記録用紙が垂直方向に保持された状態で、記録用紙の乾燥が行われる。
【０００３】
ところで、近年の画像形成装置では、所定条件化で、各種センサの電源供給を遮断したり、各種モータなどの駆動手段への電源供給を遮断し、省電力化が図られている。
【０００４】
例えば、特開２００７−１０５９１０号公報には、外部のパーソナルコンピュータが通信不可状態であり、パーソナルコンピュータからの印刷要求がなされる可能性の低い場合には、省電力モードへ移行し、省電力化を図る画像形成装置が開示されている。
【特許文献１】特開２００７−９１３９８号公報
【特許文献２】特開２００７−１０５９１０号公報
【発明の開示】
【発明が解決しようとする課題】
【０００５】
しかしながら、記録用紙の乾燥は、インクなどが乾燥するまでの時間なので、一般的に３０秒以上或いは長いときで１２０秒程度の時間が必要となる場合がある。記録用紙の乾燥中は、画像形成装置は待機状態となり、各種機能の実行も待機されるので、無駄に電力が消費されてしまうという問題がある。
【０００６】
そこで、省電力化を図るために、記録用紙の乾燥中に各種センサやモータへの電源供給を遮断する省電力モードへ移行することが考えられるが、特に、記録用紙を垂直方向に保持するだけでは、モータへの電源供給が遮断されると、記録用紙が落下したり位置ズレが生じてしまう。
【０００７】
その結果、画像記録形成装置内で、記録用紙の詰まりが生じたり、記録用紙の落下や位置ズレに伴い未乾燥のインクが記録用紙または内部の機構に付着して汚れるという問題点があった。
【０００８】
本発明は上述した問題点を解決するためになされたものであり、記録媒体の第２面を記録する前の待機状態中に、記録媒体の落下や位置ズレを防止しつつ省電力化を図ることができる画像記録装置を提供することを目的としている。
【課題を解決するための手段】
【０００９】
この目的を達成するために、請求項１記載の画像記録装置は、インクを吐出して記録媒体の第１面および第２面に記録を行う両面印刷機能を有しており、前記記録媒体を搬送する搬送手段と、その搬送手段を駆動する駆動手段と、その駆動手段により前記搬送手段が駆動されて前記記録媒体が搬送される搬送経路と、その搬送経路に位置し、前記記録媒体の一部分を挟持する挟持手段と、前記記録媒体の前記第１面に記録がされた後であって前記記録媒体の前記第２面に記録がされる前に、前記記録媒体が前記挟持手段によって挟持された状態で、少なくとも前記駆動手段への電源供給を遮断する省電力モード手段とを備えている。
【００１０】
請求項２記載の画像記録装置は、請求項１記載の画像記録装置において、前記記録媒体を排出する排出トレイを備え、前記挟持手段は、前記第１面に記録がされた記録媒体の搬送方向における後側端部を挟持するものであり、前記排出トレイは、前記記録媒体のうち、前記挟持手段が挟持している部分よりも前記第１面の搬送方向前側を支持している。
【００１１】
請求項３記載の画像記録装置は、請求項１又は２に記載の画像記録装置において、前記第１面に記録がされた記録媒体を前記搬送経路内に所定時間停止させる停止手段を備え、前記省電力モード手段は、前記記録媒体が前記停止手段によって停止されている場合に、少なくとも前記駆動手段への電源供給を遮断するものである。
【００１２】
請求項４記載の画像記録装置は、請求項１から３のいずれかに記載の画像記録装置において、前記省電力モードに移行してからの経過時間を計測する計測手段と、その計測手段によって計測される経過時間が、予め記憶された前記第１面に記録がされた前記記録媒体の乾燥時間を経過した場合に、前記省電力モードから通常モードへ復帰させる通常モード復帰手段とを備えている。
【００１３】
なお、記録媒体の乾燥時間は、一定の時間を予め記憶しておくものとしても良いし、インクの吐出量など記録状況に基づいて算出された時間を記憶しておくものとしても良い。また、記録媒体の乾燥時間を、ユーザが適宜変更可能に構成しても良い。
【発明の効果】
【００１４】
請求項１記載の画像記録装置によれば、省電力モード手段により少なくとも駆動手段への電力供給を遮断する省電力モードに移行する場合には、記録媒体が挟持手段によって挟持されるので、駆動手段への電力供給が遮断された場合でも記録媒体が落下したり位置ズレが生じることを抑制することができる。よって、記録媒体の第１面に記録がされた後であって記録媒体の第２面に記録がされる前の待機状態中であっても、記録媒体の落下や位置ズレを防止しつつ省電力化を図ることができるという効果がある。
【００１５】
請求項２記載の画像記録装置によれば、請求項１記載の画像記録装置の奏する効果に加え、記録媒体の搬送方向における後側端部が挟持手段により挟持され、記録媒体の搬送方向前側が排出トレイにより支持されるので、挟持手段による記録媒体の挟持と、排出トレイによる記録媒体の支持とにより、記録媒体の落下や位置ズレを確実に防止することができるという効果がある。
【００１６】
また、排出トレイは、ユーザが記録後の記録媒体を取り出すため、一般的に外部に露出している。よって、第１面に記憶がされた記録媒体は外部に露出されるので、乾燥の効率を高めることができるという効果がある。
【００１７】
請求項３記載の画像記録装置によれば、請求項１又は２に記載の画像記録装置の奏する効果に加え、第１面に記録がされた記録媒体が搬送経路内で、停止手段により所定時間停止される場合には、少なくとも駆動手段への電源供給が遮断されるので、搬送経路内で停止された状態でも省電力化を図ることができるという効果がある。
【００１８】
また、搬送経路内に記録媒体を所定時間停止させることができるので、例えば、記録媒体の搬送方向における前側先端をインクの吐出が行われる記録部に近づけた状態で、記録媒体に吐出されたインクの乾燥を行うことができる。よって、記録媒体の乾燥終了後に、早期に記録部による記録を行えるので、効率良く記録媒体への記録を行うことができるという効果がある。
【００１９】
請求項４記載の画像記録装置によれば、請求項１から３のいずれかに記載の画像記録装置の奏する効果に加え、計測手段によって計測される経過時間が、予め記憶された第１面に記録がされた記録媒体の乾燥時間を経過した場合に、省電力モードから通常モードへ復帰するので、乾燥時間に適した時間で通常モードへ復帰させることができ、記録媒体への記録を効率よく行うことができるという効果がある。
【発明を実施するための最良の形態】
【００２０】
以下、本発明の好ましい実施形態について、添付図面を参照して説明する。まず、図１を参照して、本発明における一実施形態の画像記録装置の一つである複合機１０の概略について説明する。図１は、本発明の一実施形態の複合機１０の外観斜視図である。
【００２１】
複合機１０は、通話機能、ファクシミリ機能、プリンタ機能、スキャナ機能、及び、コピー機能などの各種の機能を有しており、特に、プリンタ機能として両面印刷機能を有していることを特徴とする。なお、ファクシミリ機能、スキャナ機能、及びコピー機能は、複合機１０における公知の技術であるので、その詳細な説明は省略する。
【００２２】
図１に示すように、複合機１０は、主に、下部に設けられるプリンタ部１１と、上部に設けられるスキャナ部１２と、給紙トレイ２０及び排紙トレイ２１が内側に上下２段に設けられる開口１３と、天板として設けられる原稿カバー３０と、正面上部に設けられる操作パネル４０と、正面に設けられるスロット部４３とを有して構成されている。
【００２３】
スキャナ部１２は、いわゆるフラットベッドスキャナとして構成されている。原稿カバー３０は、複合機１０の天板として設けられており、その原稿カバー３０の下には、プラテンガラス（図示せず）が配置されている。原稿は、プラテンガラス上に載置され、原稿カバー３０に覆われた状態で画像として読み取られる。
【００２４】
操作パネル４０は、プリンタ部１１やスキャナ部１２を操作するための装置であって、各種操作ボタンや液晶表示部から構成されている。ユーザは、操作パネル４０を操作することで、各種機能の設定や動作を実行することができる。例えば、記録媒体である記録用紙１０３（図４参照）の種類（普通紙又は葉書）の設定や、記録用紙１０３の表面のみに画像を記録する片面記録モードの設定、表裏両面に画像を記録する両面記録モードの設定、解像度（ドラフトモード又はフォトモード）の設定などである。
【００２５】
スロット部４３は、記憶媒体である各種小型メモリカードが装填され得るように構成されている。例えば、スロット部４３に小型メモリカードが装填された状態でユーザーが操作パネル４０の操作を行うことにより、小型メモリカードに記憶された画像データを読み出し、その読み出した画像データを記録用紙１０３に記録することができる。
【００２６】
次に、図２を参照して、プリンタ部１１の構成の概略について説明する。図２は、複合機１０のプリンタ部１１の構造を示す縦断面図である。
【００２７】
図２に示すように、プリンタ部１１は、主に、記録媒体としての記録用紙１０３を搬送する搬送路２３と、反転された記録用紙１０３を搬送路２３に案内する反転案内部１６と、記録用紙１０３を搬送路２３に送り出す給送部１５と、記録用紙１０３にインク滴を吐出することにより画像を記録する記録部２４と、記録用紙１０３の経路を切り換える経路切換部４１と、記録がされた記録用紙１０３が排紙される排紙トレイ２１とを有して構成されている。
【００２８】
給送部１５は、給紙トレイ２０と、給紙アーム２６及び送りローラとしての給紙ローラ２５と、給紙ローラ２５を駆動するための動力伝達機構２７とを備えている。
【００２９】
給紙トレイ２０は、記録用紙１０３を貯蔵するものであり、給紙トレイ２０に収容された記録用紙１０３は、プリンタ部１１の内部へ給送される。給紙トレイ２０は、プリンタ部１１の底側に配置されており、給紙トレイ２０の奥側には、分離傾斜板２２が設けられている。分離傾斜板２２は、搬送路２３と連続しており、給紙トレイ２０から重送された記録用紙１０３を分離して、最上位置の記録用紙１０３を上方へ案内するものである。
【００３０】
搬送路２３は、分離傾斜板２２から上方へ向かった後、正面側へＵ字状に曲がって形成されており、複合機１０の背面側（図２左側）から正面側（図２右側）へと延び、記録部２４を経て排紙トレイ２１へ通じている。
【００３１】
従って、給紙トレイ２０に収容された記録用紙１０３は、搬送路２３に沿って下方から上方へＵターンするように案内されて記録部２４に至り、この記録部２４によって画像記録が行われた後、排紙トレイ２１に排出される。
【００３２】
経路切換部４１は、記録用紙１０３の裏面（第２面）に画像を記録する場合に、表面（第１面）に画像が記録された記録用紙１０３を反転案内部１６へ案内し、再び搬送路２３に送り込み記録用紙１０３を表裏反転させるものである。そして、再び搬送路２３により搬送された記録用紙１０３の裏面に、記録部２４によって画像が記録される。そして、再び搬送路２３により搬送された記録用紙１０３の裏面に、記録部２４によって画像が記録される。
【００３３】
次に、図３及び図４を参照して、プリンタ部１１について詳細に説明する。図３は、プリンタ部１１の部分拡大断面図であり、図４は、経路切換部４１周辺の断面構造を拡大して示した拡大断面図である。
【００３４】
図３に示すように、給紙トレイ２０の上側には、給紙ローラ２５が配置されている。給紙ローラ２５は、給紙トレイ２０に積載された記録用紙１０３を搬送路２３へ供給するものであり、給紙アーム２６の先端に軸支されている。給紙ローラ２５は、ＬＦモータ７１（図５参照）を駆動源として動力伝達機構２７を介して回転駆動される。この駆動伝達機構２７は複数のギアを有し、これらが噛合されることにより構成されている。
【００３５】
給紙アーム２６は、その基端部が基軸２８に支持されており、基軸２８を回動中心軸として回転可能に構成されている。このため、給紙アーム２６は、給紙トレイ２０に対して接離可能に上下動することができる。また、給紙アーム２６は、自重により又はバネ等に付勢されて下側へ回動付勢されている。このため、給紙アーム２６は、通常において給紙トレイ２０に接触し、給紙トレイ２０が挿抜される際に上側へ退避するように構成されている。
【００３６】
給紙トレイ２０から記録用紙１０３を給紙する場合には、給紙アーム２６が下側へ回動付勢され、給紙ローラ２５が給紙トレイ２０上の記録用紙１０３に圧接された状態で、給紙ローラ２５を回転し、給紙ローラ２５のローラ面と記録用紙１０３との間に発生する摩擦力により、最上位置の記録用紙１０３を分離傾斜板２２へ送り出すことで行われる。
【００３７】
そして、記録用紙１０３の先端が分離傾斜板２２に当接すると、この記録用紙１０３は上方へ案内され、矢印１４に沿って搬送路２３へ送り込まれる。給紙ローラ２５によって最上位置の記録用紙１０３が送り出される際に、その直下の記録用紙１０３が摩擦や静電気の作用によって共に送り出される場合もあるが、この記録用紙１０３は分離傾斜板２２との当接によって制止される。
【００３８】
搬送路２３は、記録部２４等が配設されている箇所以外では、外側ガイド面と内側ガイド面とによって区画形成されている。例えば、複合機１０の背面側の搬送路２３の湾曲部１７は、外側ガイド部材１８及び内側ガイド部材１９が本体フレーム５３に固定されることにより形成されている。この場合、外側ガイド部材１８が外側ガイド面を形成し、内側ガイド部材１９が内側ガイド面を形成する。また、外側ガイド部材１８及び内側ガイド部材１９は、所定間隔をあけて対向配置されている。
【００３９】
搬送路２３が曲がっている箇所には、回転コロ２９が設けられている。この回転コロ２９は、回転自在に構成され、回転コロ２９のローラ面は、外側ガイド面に露出されている。よって、搬送路２３が曲がっている箇所においても、記録用紙１０３が円滑に搬送される。
【００４０】
記録部２４は、搬送路２３の途中に配置されており、キャリッジ３８及び記録ヘッド３９を備えている。記録ヘッド３９は、キャリッジ３８に搭載され、ガイドレール１０５、１０６に沿って主走査方向（図３紙面垂直方向）に往復動するように構成されている。具体的には、キャリッジ３８は、ＣＲモータ９５（図５参照）を駆動源とし、例えばベルト駆動機構を介してスライドされる。
【００４１】
なお、複合機１０の内部には、記録ヘッド３９とは独立してインクカートリッジ（図示せず）が配置されている。このインクカートリッジからインクチューブを通じてインクが記録ヘッド３９に供給される。そして、キャリッジ３８が往復動される間に、記録ヘッド３９からインクが微小なインク滴として吐出され、これにより、プラテン４２上を搬送される記録用紙１０３に画像が記録される。
【００４２】
複合機１０の本体フレーム５３には、キャリッジ３８の位置を検出するリニアエンコーダ８５（図５参照）が設けられている。このリニアエンコーダ８５のエンコーダストリップがガイドレール１０５、１０６に配設されている。エンコーダストリップは、光を透過させる透光部及び光を遮断する遮光部を備えており、その透光部及び遮光部は、エンコーダストリップの長手方向に所定ピッチで交互に配置され、所定パターンを形成している。
【００４３】
また、キャリッジ３８の上面には、透過型センサである光学センサ１０７が設けられている。この光学センサ１０７は、エンコーダストリップに対応する位置に設けられており、キャリッジ３８と共にエンコーダストリップの長手方向に沿って往復動し、その往復動の際にエンコーダストリップのパターンを検出するものである。
【００４４】
さらに、キャリッジ３８には、プラテン４２上の記録用紙１０３の存在の有無を検出するメディアセンサ８６（図５参照）が設けられている。メディアセンサ８６は、光源及び受光素子を備えており、光源から発せられた光は、プラテン４２上に搬送された記録用紙１０３に照射される一方、プラテン４２上まで記録用紙１０３が搬送されていない場合にはプラテン４２に照射される。そして、記録用紙１０３又はプラテン４２に照射された光は反射され、その反射光を受光素子が受光し、その受光量に応じた出力を行う。
【００４５】
反転案内部１６は、搬送路２３に接続されており、記録部２４よりも搬送路２３の下流側部位３６に連続している。反転案内部１６は、一方の面（表面）に画像が記録された記録用紙１０３を再び給紙トレイ２０上に導く反転経路を構成している。この反転経路は、第１ガイド面３２と第２ガイド面３３とによって区画形成されている。
【００４６】
本実施形態では、第１ガイド面３２及び第２ガイド面３３は、それぞれ、複合機１０の本体フレーム５３の内部に配置されたガイド部材３４及びガイド部材３５の表面により形成されている。各ガイド部材３４、３５は、所定間隔をあけて対向配置されており、第１ガイド面３２及び第２ガイド面３３は、搬送路２３の下流側部位３６から給紙ローラ２５の方へ斜め下方に延びている。
【００４７】
なお、本実施形態では、反転案内部１６は、記録用紙１０３を給紙トレイ２０上に戻すように構成されているが、これに限定されるものではない。反転案内部１６は、要するに搬送路２３の下流側部位３６と上流側部位３７とを接続することができれば十分であり、従って、記録用紙１０３は、上流側部位３７よりも給紙トレイ２０側に戻されればよい。
【００４８】
記録部２４よりも搬送路２３の上流側には、搬送ローラ６０及びピンチローラ３１が設けられている。これらは対をなし、ピンチローラ３１は、搬送ローラ６０の下側に圧接するように配置されている。搬送ローラ６０及びピンチローラ３１は、搬送路２３を搬送される記録用紙１０３を狭持してプラテン４２上へ送るものである。
【００４９】
また、記録部２４よりも搬送路２３の下流側には、排紙ローラ６２及び拍車ローラ６３が設けられている。排紙ローラ６２及び拍車ローラ６３は、記録済みの記録用紙１０３を狭持して搬送路２３からさらに搬送方向下流側へ（排紙トレイ２１側へ）搬送するものである。
【００５０】
搬送ローラ６０及び排紙ローラ６２は、ＬＦモータ７１を駆動源として駆動され、搬送ローラ６０及び排紙ローラ６２の駆動は同期しており、画像記録時に間欠駆動される。これにより、記録用紙１０３は所定の改行幅で送られながら画像に記録がなされる。
【００５１】
なお、搬送ローラ６０には、ロータリエンコーダ８７（図５参照）が設けられている。このロータリエンコーダ８７は、搬送ローラ６０と共に回転するエンコーダディスク（図示せず）のパターンを光学センサで検出し、この光学センサが検出した信号に基づいて、搬送ローラ６０及び排紙ローラ６２の回転が制御される。また、画像記録の前後においては、搬送ローラ６０及び排紙ローラ６２は連続駆動され、迅速な用紙搬送が実現されている。
【００５２】
拍車ローラ６３は、記録済みの記録用紙１０３を圧接するものであり、記録用紙１０３に記録された画像が劣化しないように、拍車ローラ６３のローラ面は、拍車状に凹凸されている。拍車ローラ６３は、排紙ローラ６２と接離する方向にスライド移動可能に設けられており、排紙ローラ６２に圧接するように付勢されている。なお、拍車ローラ６３を排紙ローラ６２に付勢する手段は、典型的にはコイルバネが採用される。
【００５３】
図３では図示されていないが、本実施形態では、複数の拍車ローラ６３が備えられており、各拍車ローラ６３は、記録用紙１０３の搬送方向と直交する方向、すなわち記録用紙１０３の幅方向に均等に並設されている。拍車ローラ６３の数は特に限定されるものではないが、本実施形態では８個に設定されている。
【００５４】
排紙ローラ６２と拍車ローラ６３との間に記録用紙１０３が進入すると、拍車ローラ６３は、記録用紙１０３の厚み分だけコイルバネの付勢力に抗して退避する。記録用紙１０３は排紙ローラ６２に圧接され、排紙ローラ６２の回転力が確実に記録用紙１０３へ伝達される。また、ピンチローラ３１も搬送ローラ６０に対して同様に弾性付勢されている。従って、記録用紙１０３は、搬送ローラ６０に圧接され、搬送ローラ６０の回転力が確実に記録用紙１０３へ伝達される。
【００５５】
搬送路２３の搬送ローラ６０よりも上流側には、レジセンサ１０２（図５参照）が設けられている。このレジセンサ１０２は、検出子及び光学センサを備えており、検出子は、搬送路２３を横切るように配置され、搬送路２３に出没可能である。検出子は、常時搬送路２３に突出するように弾性付勢されており、搬送路２３を搬送される記録用紙１０３が検出子に当接することにより、検出子が搬送路２３へ没入する。検出子の出没により、光学センサがＯＮ又はＯＦＦされる。従って、記録用紙１０３が検出子を出没させることによって、搬送路２３における記録用紙１０３の先端又は後端の位置が検出される。
【００５６】
この複合機１０では、ＬＦモータ７１は、給紙トレイ２０からの記録用紙１０３の給紙のための駆動源となっており、また、プラテン４２上に位置する記録用紙１０３の搬送や記録済みの記録用紙１０３を排紙トレイ２１へ排出するための駆動源となっており、更には、所定の動力伝達機構を介して排紙ローラ６２を駆動する駆動源にもなっている。即ち、ＬＦモータ７１は、搬送ローラ６０と、駆動伝達機構２７を介して給紙ローラ２５と、所定の動力伝達機構を介して排紙ローラ６２とを駆動する。なお、所定の動力伝達機構は、例えば歯車列により構成してもよいし、組付スペースの関係上、タイミングベルト等を使用してもよい。
【００５７】
図３及び図４に示すように、経路切換部４１は、搬送路２３において記録部２４よりも下流側に配置されている。具体的には、経路切換部４１は、記録部２４よりも搬送路２３の下流側部位３６、すなわち搬送路２３と反転案内部１６との境界部分における搬送方向下流側に配置されている。経路切換部４１は、ローラ対を構成する第１ローラ４５及び第２ローラ４６と、第２ローラ４６に並設された補助ローラ４７とを有する。
【００５８】
第１ローラ４５及び第２ローラ４６は、排紙ローラ６２及び拍車ローラ６３から送られた記録用紙１０３を狭持するものである。第１ローラ４５及び第２ローラ４６は、記録用紙１０３を搬送路２３に沿ってさらに搬送方向下流側へ（排紙トレイ２１側へ）搬送可能であると共に、記録用紙１０３を反転案内部１６に搬送可能である。
【００５９】
第２ローラ４６及び補助ローラ４７は、フレーム４８に取り付けられている。このフレーム４８は、複合機１０の左右方向（図３の紙面垂直方向）に延びている。ただし、フレーム４８の断面形状は、図４に示すように略Ｌ字状に形成されており、これにより、フレーム４８の所要の曲げ剛性が確保されている。
【００６０】
フレーム４８は、一体化された８つのサブフレーム４９を備えている。各サブフレーム４９は、複合機１０の中心を基準として左右方向に対称に配置されている。各サブフレーム４９は、それぞれ一つの第２ローラ４６及び補助ローラ４７を備えている。従って、フレーム４８は、それぞれ８つの第２ローラ４６及び補助ローラ４７を備えていることになり、各第２ローラ４６及び補助ローラ４７は、記録用紙１０３の搬送方向と直交する方向、すなわち記録用紙１０３の幅方向に均等に並設されている。なお、前述のように、複数の拍車ローラ６３も記録用紙１０３の幅方向に均等に並設されているが、各拍車ローラ６３は、第２ローラ４６と同様の支持構造にて支持されている。
【００６１】
第２ローラ４６及び補助ローラ４７は、各サブフレーム４９に設けられた支持軸５０、５１（図４参照）に支持され、当該支持軸５０、５１の回りに回転自在に構成されている。本実施形態では、第２ローラ４６及び補助ローラ４７は、拍車状に形成されている。補助ローラ４７は、第２ローラ４６よりも所定距離だけ搬送方向上流側に配置されている。各第２ローラ４６は、図示しないバネにより下方に付勢されており、常に第１ローラ４５に弾性的に押し付けられている。
【００６２】
第１ローラ４５は、所要の駆動伝達機構を介してＬＦモータ７１と連結されており、そのＬＦモータ７１を駆動源として回転駆動される。また、第１ローラ４５は、中心軸５２を備えており、その中心軸５２は、複合機１０の本体フレーム５３側に支持されている。
【００６３】
第１ローラ４５の上方には、第２ローラ４６が載置されている。第１ローラ４５は、単一の細長円柱状に形成されていてもよく、また、８つのローラがそれぞれ各第２ローラ４６と対向配置されていてもよい。
【００６４】
なお、第１ローラ４５は、ＬＦモータ７１によって正転及び逆転され、記録用紙１０３を排紙トレイ２１側および反転案内部１６側に搬送可能に構成されている。即ち、搬送路２３に沿って搬送された記録用紙１０３は、第１ローラ４５と第２ローラ４６とによって挟持される。そして、第１ローラ４５が正転すると、記録用紙１０３は第１ローラ４５と第２ローラ４６とによって挟持されたまま搬送方向下流側へ搬送され、排紙トレイ２１に排出される。他方、第１ローラ４５が逆転すると、記録用紙１０３は第１ローラ４５と第２ローラ４６とによって挟持されたまま搬送方向上流側へ戻される。
【００６５】
本実施形態では、第１ローラ４５の外径は、排紙ローラ６２の外径よりも若干大きく設定されている。すなわち、両者が同回転速度で駆動された場合は、第１ローラ４５の周速度の方が排紙ローラ６２の周速度よりも大きくなる。そのため、記録用紙１０３が排紙ローラ６２及び第１ローラ４５の双方によって搬送されるときは、記録用紙１０３は常に搬送方向に引っ張られる。
【００６６】
経路切換部４１は、記録用紙１０３を排紙トレイ２１側に送る姿勢と（図７（ａ）参照）、記録用紙１０３の裏面を記録する前に待機する姿勢と（図７（ｂ）参照）、記録用紙１０３を反転案内部１６に送る姿勢と（図７（ｃ）参照）に状態変化する。また、経路切換部４１は、その姿勢を変化する場合には、中心軸５２を回転中心としてフレーム４８、サブフレーム４９、第１ローラ４５及び補助ローラ４７が一体的に回転する。
【００６７】
ガイド部７６は、第１ローラ４５及び第２ローラ４６よりも搬送方向下流側に設けられている。本体フレーム５３に支持板７５が取り付けられており、この支持板７５にガイド部７６が設けられている。このガイド部７６は、支持板７５の下面に固定された基部７７と、基部７７に支持されたガイドローラ７８とを備えている。基部７７は支軸７９を備えており、ガイドローラ７８は、この支軸７９に回転自在に支持されている。なお、本実施形態では、このガイドローラ７８は拍車状に形成されている。
【００６８】
このガイド部７６は、所定の位置に配置されている。すなわち、ガイド部７６は、第１ローラ４５及び第２ローラ４６が逆転して記録用紙１０３が反転案内部１６へ送られているときに当該記録用紙１０３の記録面に接触する。また、ガイド部７６は、第１ローラ４５及び第２ローラ４６が正転して記録用紙１０３が反転案内部１６へ送られているときは、当該記録用紙１０３に接触しない。具体的には、ガイド部７６は、第１ローラ４５及び第２ローラ４６の接点と、排紙ローラ６２及び拍車ローラ６３の接点とを結ぶ仮想線と接触しない位置に設けられている。
【００６９】
記録用紙１０３が搬送方向の向きを変えて反転案内部１６に送られる場合には、記録用紙１０３のうち第１ローラ４５及び第２ローラ４６よりも下流側の部分は、記録用紙１０３の剛性によって反転案内部１６と平行な方向に向きが変えるよう作用する。しかし、ガイドローラ７８が記録用紙１０３の記録面に当接し、この記録用紙１０３を撓ませる。これにより、記録用紙１０３は、第１ローラ４５及び第２ローラ４６に巻き付けられるため、安定した搬送力を得ることができ、記録用紙１０３は、確実に反転案内部１６に送られる。
【００７０】
次に、図５を参照して、複合機１０の制御部８４の構成について説明する。図５は、複合機１０の制御部８４の構成を示すブロック図である。制御部８４は、プリンタ部１１のみでなくスキャナ部１２も含む複合機１０の全体動作を制御するものであるが、スキャナ部１２は本発明の主要な構成ではないので詳細な説明は省略する。
【００７１】
制御部８４は、図に示すように、ＣＰＵ（Central  Processing  Unit）８８、ＲＯＭ（Read  Only  Memory）８９、ＲＡＭ（Random  Access  Memory）９０、電源オフ後も保持すべき設定やフラグ等が格納されるＥＥＰＲＯＭ（Electrically  Erasable  and  Programmable  ROM）９１を主とするマイクロコンピュータとして構成されており、バス９２を介してＡＳＩＣ（Application  Specific  Integrated  Circuit）９３に接続されている。
【００７２】
ＲＯＭ８９には、複合機１０の各種動作を制御するためのプログラム等が格納されている。例えば、印刷処理を実行させる印刷処理プログラム８９ａが格納されている。更に、ＲＯＭ８９には、第１乾燥時間８９ｂと第２乾燥時間８９ｂとが記憶されている。第１乾燥時間は、後述する乾燥待機状態１における乾燥時間が記憶されており、第２乾燥時間は、後述する乾燥待機状態２における乾燥時間が記憶されている。本実施形態では、第１乾燥時間が６０秒であり、第２乾燥時間が３０秒であり、それぞれ対応した値が第１及び第２乾燥時間８９ｂ，８９ｃに予め記憶されている。
【００７３】
ＲＡＭ９０は、ＣＰＵ８８がプログラムを実行する際に用いる各種データを一時的に記録する記憶領域又は作業領域として使用される。また、ＲＡＭ９０には、プリンタ機能により印刷（記録）を行う場合に両面印刷が設定されていることを示す両面印刷フラグ９０ａと、第１乾燥時間８９ｂの値が記憶される第１乾燥時間記録エリア９０ｂと、第２乾燥時間８９ｃの値が記憶される第２乾燥時間記憶エリア９０ｃとが設けられている。
【００７４】
両面印刷フラグ９０ａは、ユーザが操作パネル４０を操作することにより任意にオン又はオフの設定がなされる。第１又は第２乾燥時間記録エリア９０ｂ，９０ｃは、印刷処理の開始時または複合機１０の電源投入時に第１又は第２乾燥時間８９ｂ，８９ｃから読み出された値が記憶される。
【００７５】
ＡＳＩＣ９３は、ＣＰＵ８８からの指令に従い、ＬＦモータ７１に通電する相励磁信号等を生成して、該信号をＬＦモータ７１の駆動回路９４に付与し、該駆動回路９４を介して駆動信号をＬＦモータ７１に通電することにより、ＬＦモータ７１の回転制御を行っている。
【００７６】
駆動回路９４は、給紙ローラ２５、搬送ローラ６０、排紙ローラ６２、第１ローラ４５などに接続されたＬＦモータ７１を駆動させるものであり、ＡＳＩＣ９３からの出力信号を受けて、ＬＦモータ７１を回転するための電気信号を生成する。該電気信号を受けてＬＦモータ７１が回転し、該ＬＦモータ７１の回転力がギアや駆動軸等からなる周知の駆動機構を介して、給紙ローラ２５、搬送ローラ６０、排紙ローラ６２、第１ローラ４５へ伝達される。
【００７７】
また、ＡＳＩＣ９３は、ＣＰＵ８８からの指令に従い、ＣＲ（キャリッジ）モータ９５に通電する相励磁信号等を生成して、該信号をＣＲモータ９５の駆動回路９６に付与し、該駆動回路９６を介して駆動信号をＣＲモータ９５に通電することにより、ＣＲモータ９５の回転制御を行っている。
【００７８】
駆動回路９６は、キャリッジ３８に接続されたＣＲモータ９５を駆動させるものであり、ＡＳＩＣ９３からの出力信号を受けて、ＣＲモータ９５を回転するための電気信号を生成する。該電気信号を受けてＣＲモータ９５が回転し、該ＣＲモータ９５の回転力がキャリッジ３８へ伝達されことによりキャリッジ３８が往復動される。
【００７９】
駆動回路９７は、記録ヘッド３９から所定のタイミングでインクを記録用紙１０３に対して選択的に吐出させるものであり、ＣＰＵ８８から出力される駆動制御手順に基づいてＡＳＩＣ９３において生成された出力信号を受け、記録ヘッド３９を駆動制御する。
【００８０】
ＡＳＩＣ９３には、スキャナ部１２や、複合機１０の操作指示を行うための操作パネル４０、各種小型メモリカードが挿入されるスロット部４３、パソコン等の外部機器とパラレルケーブルやＵＳＢケーブルを介してデータの送受信を行うためのパラレルインタフェース（Ｉ／Ｆ）９８及びＵＳＢインタフェース（Ｉ／Ｆ）９９、ファクシミリ機能を実現するためのＮＣＵ（Network  Control  Unit）１００やモデム（MODEM）１０１が接続されている。
【００８１】
その他、ＡＳＩＣ９３には、給紙ローラ２５から搬送ローラ６０近傍に記録用紙１０３が搬送されたことを検出するレジセンサ１０２、ＬＦモータ７１により駆動された各ローラ（本実施形態では、給紙ローラ２５及び搬送ローラ６０、第１ローラ４５）の回転量を検出するロータリエンコーダ８７、キャリッジ３８の移動量を検出するためのリニアエンコーダ８５、プラテン４２上の記録用紙１０３の存在の有無を検出するメディアセンサ８６が接続されている。
【００８２】
ここで、複合機１０の制御部８４で実行されるプリンタ機能に関する処理を簡単に説明する。複合機１０の電源がオンされると、キャリッジ３８は、一旦そのスライド端まで移動され、リニアエンコーダ８５による検出位置が初期化される。キャリッジ３８が初期位置からスライド移動すると、キャリッジ３８に設けられた光学センサ１０７がエンコーダストリップのパターンを検出する。
【００８３】
制御部８４は、光学センサ１０７の検出に基づくパルス信号数によって、キャリッジ３８の移動量を把握し、この移動量に基づいてキャリッジ３８の往復動を制御すべく、ＣＲモータ９５の回転を制御する。また、制御部８４は、レジセンサ１０２の出力信号及びロータリエンコーダ８７が検出するエンコーダ量に基づいて記録用紙１０３の先端又は後端の位置並びに記録用紙１０３の搬送量を把握する。
【００８４】
制御部８４は、記録用紙１０３の先端がプラテン４２の所定の位置に到達すると、記録用紙１０３を所定の改行幅ごとに間欠搬送すべくＬＦモータ７１の回転を制御する。この改行幅は、画像記録の条件として入力された解像度等に基づいて設定される。特に高解像度記録、具体的には、縁無し写真記録が行われる場合においては、メディアセンサ８６による記録用紙１０３の存在の検出と、ロータリエンコーダ８７が検出するエンコーダ量とに基づいて、制御部８４が記録用紙１０３の先端、後端を正確に検知する。
【００８５】
さらに、メディアセンサ８６による記録用紙１０３の存在の検出と、リニアエンコーダ８５が検出するエンコーダ量とに基づいて、制御部８４が記録用紙１０３の両端の位置を正確に検知する。そして、このようにして検知された記録用紙１０３の先端、後端及び両端の位置に基づいて、制御部８４は、インクジェット記録ヘッド３９によるインク滴の吐出を制御する。
【００８６】
次に、図６〜図８を参照して、複合機１０のＣＰＵ８８で実行される印刷処理について説明する。図６は、複合機１０のＣＰＵ８８で実行される印刷処理を示したフローチャートである。図７は、裏面印刷を行う場合に状態変化する経路切換部４１および記録用紙１０３の位置を示した概略図である。図８は、省電力モードへ移行した際に電源供給を遮断するリスト及び通電を継続するリストの一例を示した図である。図８（ａ）は、省電力モード移行時に電源供給を遮断するリストであり、図８（ｂ）は、省電力モード移行時においても通電を継続するリストである。
【００８７】
印刷処理は、ユーザにより操作パネル４０が操作されて、プリンタ機能が選択され、印刷が開始された場合に実行される処理である。なお、本発明は、表面に印刷がなされた後の記録用紙１０３の乾燥時間中に省電力モードへ移行することが特徴となるので、省電力モードへの移行に関係する処理以外の詳細な説明は省略する。また、図７においては、経路切換部４１の姿勢変化以外は、上記した内容と同様となるので、その詳細な説明は省略する。
【００８８】
印刷処理が実行されると、まず、表面印刷処理が実行される（Ｓ１０１）。Ｓ１０１の表面印刷処理は、給紙トレイ２０から記録用紙１０３を給紙し、記録部２４により所定の画像を記録し、経路切換部４１まで記録用紙１０３を搬送する一連の処理である。よって、Ｓ１０１の表面印刷処理の終了時には、記録用紙１０３は、その搬送方向の後側端部が第１ローラ４５と第２ローラ４６との間に挟持された状態となる（図７（ａ）の状態）。
【００８９】
図７（ａ）に示すように、Ｓ１０１の表面印刷処理が終わった状態では、記録用紙１０３の搬送方向の後側端部が第１ローラ４５と第２ローラ４６との間に挟持され且つ、その記録用紙１０３の搬送方向の後側先端が、第１ガイド面３２近傍に達している。また、記録用紙１０３の大部分は、排紙トレイ２１に排紙された状態となり、その排紙トレイ２１により下方から支持された状態となる。
【００９０】
Ｓ１０２の処理では、両面印刷フラグ９０ａがオンであるか否かが確認され（Ｓ１０２）、両面印刷フラグ９０ａがオフであれば（Ｓ１０２：Ｎｏ）、ユーザによる設定が片面印刷となるので、第１ローラ４５を正転駆動して（Ｓ１０３）、本処理を終了する。
【００９１】
Ｓ１０３の処理により第１ローラ４５が正転駆動されると、表面に記録がなされた記録用紙１０３が排紙トレイ２１に排出される。なお、第１ローラ４５の正転駆動は、記録用紙１０３が排紙トレイ２１に排出されるのに十分な時間の間行われる。
【００９２】
一方、Ｓ１０２の処理で、両面印刷フラグ９０ａがオンであれば（Ｓ１０２：Ｙｅｓ）、ユーザによる設定が両面印刷となるので、経路切換部４１を駆動して、乾燥待機状態１とする（Ｓ１０４）。具体的には、中心軸５２（図４参照）を回転中心としてフレーム４８、サブフレーム４９、第２ローラ４６及び補助ローラ４７を一体的に中間位置まで回転させる。
【００９３】
乾燥待機状態１は、図７（ｂ）の状態であり、記録用紙１０３の搬送方向の後側端部（裏面の記録時には搬送方向の前側端部となる部分）が第１ガイド面３２近傍で屈曲し「曲」が付けられている。よって、乾燥待機状態１の状態では、記録用紙１０３に「曲」が付されるので、後述する反転案内部１６を介して給紙ローラ２５に達した記録用紙１０３の前側先端は上方に向くことになる。従って、記録用紙１０３は、プラテン４２に確実に侵入するので、用紙の詰まりなどを抑えスムーズな搬送を行うことができる。
【００９４】
Ｓ１０４の処理で、記録用紙１０３が乾燥待機状態１となると、ＲＡＭ９０の第１乾燥時間記憶エリア９０ｂに記憶される値を読み出し、ＣＰＵ８８の立ち上げ時間をセットする（Ｓ１０５）。本実施形態では、乾燥待機状態１での乾燥時間は６０秒に予め定められているので、６０秒後に印刷処理のＳ１０８以降の処理が開始される。
【００９５】
Ｓ１０５の処理で、ＣＰＵ８８の立ち上げ時間がセットされると、複合機１０を省電力モードへ移行させる（Ｓ１０６）。省電力モードとは、各種駆動手段およびセンサへの電力供給を一時的に遮断するモードである。なお、ＣＰＵ８８により実行される処理の大部分も、処理の実行が停止され、スリープ状態となる。
【００９６】
ここで、図８を参照して、省電力モードへ移行した場合に、電源供給が遮断される構成および通電が継続される構成の一例について説明する。
【００９７】
図８（ａ）に示すように、省電力モードへ移行した場合には、記録用紙１０３の有無を検出するレジセンサ１０２と、各ローラの回転量を検出するロータリエンコーダ８７と、キャリッジ３８の移動量を検出するリニアエンコーダ８５と、経路切換部４１の状態を検出する両面センサ（図８以外では図示せず）と、操作パネル４０に設けられた液晶表示部のバックライト（図８以外では図示せず）と、インクカートリッジの有無を検出するインクカートリッジセンサ（図８以外では図示せず）との各種センサへの電源供給を遮断する。
【００９８】
なお、記録用紙１０３を給紙トレイ２０以外から自動に給紙する自動給紙装置を取り付け可能であれば、その自動給紙装置の設置の有無を検出するセンサや、自動給紙装置に設置された記録用紙１０３の有無を検出するセンサなどへの電源供給も遮断される。
【００９９】
また、図８（ａ）に示すように、省電力モードへ移行した場合には、記録ヘッド３９関連と、ＬＦモータ７１と、ＣＲモータ９５への電源供給も遮断される。記録ヘッド３９関連とは、インクの吐出を行うアクチュエータへの電源供給の遮断などである。
【０１００】
以上の通り、省電力モードへ移行する場合には、センサなどの入力系統への電源供給の遮断と、モータなどの出力系統への電源供給の遮断も行われるので、全体として、複合機１０で消費される消費電力を抑えることができる。
【０１０１】
また、図８（ｂ）に示すように、省電力モードへ移行した場合、ＵＳＢ関連と、インタフェース関連と、操作パネル４０に設けられた液晶表示部と、ファクシミリ関連とには、継続して通電がなされる。つまり、外部からの信号やデータを受信する装置には、省電力モードに移行しても通電が継続されるように構成されている。これは、外部からの信号やデータの取りこぼしを防止するためである。
【０１０２】
外部からの信号やデータを受信する装置とは、例えば、ＵＳＢＩ／Ｆ９９やパラレルＩ／Ｆ９８、ＮＣＵ１００、モデム１０１である。なお、図示しないが、外部に対して信号やデータの送受信を行うＬＡＮボードや無線通信ボードなども含まれる。
【０１０３】
図７に戻って、印刷処理のＳ１０７移行の処理について説明する。
【０１０４】
Ｓ１０７の処理では、省電力モードへ移行した後に、ＣＰＵ８８が有するクロック回路が６０秒に対応した回数をカウントしたか否か、即ち、第１乾燥時間を経過したか否かが確認され（Ｓ１０７）、第１乾燥時間が経過するまで、省電力モードが継続される（Ｓ１０７：Ｎｏ）。
【０１０５】
そして、Ｓ１０７の処理で、省電力モードへ移行した後に、第１乾燥時間が経過したと判別されると（Ｓ１０７：Ｙｅｓ）、通常電力モードに移行する（Ｓ１０８）。Ｓ１０８の処理は、上述した省電力モードの移行時に電源供給が遮断された各種センサやモータへの電力供給を開始すると共に、スリープ状態にあったＣＰＵ８８により印刷処理のＳ１０８以降の処理を実行する処理である。
【０１０６】
Ｓ１０９の処理では、経路切換部４１と各ローラとを駆動して、記録用紙１０３を反転し、その反転した記録用紙１０３の搬送を開始する（Ｓ１０９）。具体的には、第１ローラ４５を若干正転駆動させて、記録用紙１０３の搬送方向の後側先端が第１ガイド面３２から離れて経路案内部１６に達するまで記録用紙１０３を搬送し、その後、中心軸５２（図４参照）を回転中心としてフレーム４８、サブフレーム４９、第２ローラ４６及び補助ローラ４７が一体的に下方へ回転する。この状態の経路切換部４１は、図７（ｃ）に示す状態となる。
【０１０７】
そして、第１ローラ４５を逆転駆動させて、記録用紙１０３を経路案内部１６に送り、記録用紙１０３を給紙ローラ６０に至るまで送る。その後、第１ローラ４５の逆転駆動を停止すると共に、給紙ローラ２５を駆動させて、記録用紙１０３を再度搬送路２３に搬送する。
【０１０８】
なお、Ｓ１０９の処理では、経路切換部４１を下方に回転する前に、記録用紙１０３を排紙トレイ２１側へ若干搬送するように構成したが、第１ガイド面３２近傍に達している記録用紙１０３は搬送方向の後側端部のみなので、記録用紙１０３を若干搬送することなく、経路切換部４１を下方に回転するように構成しても良い。
【０１０９】
Ｓ１１０の処理では、記録用紙１０３が第２乾燥位置に達したか否かが確認される（Ｓ１１０）。Ｓ１１０の処理では、第１ローラ４５及び給紙ローラ２５の回転量をロータリエンコーダ８７で検出し、その搬送量がＣＰＵ８８により算出されて、記録用紙１０３が第２乾燥位置に達したか否かが判別される。
【０１１０】
なお、勿論、第２乾燥位置に対応した位置にレジセンサを設け、そのレジセンサの検出結果に応じて、記録用紙１０３の搬送方向の前側先端が第２乾燥位置に達したか否かを判別するようにしても良い。
【０１１１】
Ｓ１１０の処理で、記録用紙１０３の搬送方向の前側先端が乾燥位置に達していなければ（Ｓ１１０：Ｎｏ）、給紙ローラ２５による記録用紙１０３の搬送を継続し、記録用紙１０３の搬送方向の前側先端が乾燥位置に達していれば（Ｓ１１０：Ｙｅｓ）、給紙ローラ２５の駆動を停止する（Ｓ１１１）。この状態は、図７（ｃ）に示す状態であり、記録用紙１０３の搬送方向の前側端部が搬送路２３内において湾曲した状態で停止している。
【０１１２】
Ｓ１１１の処理で、記録用紙１０３が乾燥待機状態２となると、ＲＡＭ９０の第２乾燥時間記憶エリア９０ｃに記憶される値を読み出し、ＣＰＵ８８の立ち上げ時間をセットする（Ｓ１１２）。本実施形態では、乾燥待機状態２での乾燥時間は３０秒に予め定められているので、３０秒後に印刷処理のＳ１１５以降の処理が開始される。
【０１１３】
Ｓ１１２の処理で、ＣＰＵ８８の立ち上げ時間がセットされると、複合機１０を省電力モードへ移行させる（Ｓ１１３）。Ｓ１１３の処理で移行する省電力モードは、Ｓ１０６の処理で移行する省電力モードと同様である。
【０１１４】
なお、乾燥待機状態２は、乾燥待機状態１より短くなっている。これは、乾燥待機状態１によりインクの大部分が乾燥しているためである。また、乾燥待機状態２では、記録用紙１０３の搬送方向の前側部分にカール付けが行われる。このカール付けを行うことで、インクにより湿った記録用紙１０３が変形（例えば波打つなどの変形）することを抑え、記録用紙１０３のスムーズな搬送および記録部２４による最適な記録を行うことができる。
【０１１５】
Ｓ１１４の処理では、省電力モードへ移行した後に、ＣＰＵ８８が有するクロック回路が３０秒に対応した回数をカウントしたか否か、即ち、第２乾燥時間を経過したか否かが確認され（Ｓ１１４）、第２乾燥時間が経過するまで、省電力モードが継続される（Ｓ１１４：Ｎｏ）。
【０１１６】
そして、Ｓ１１４の処理で、省電力モードへ移行した後に、第２乾燥時間が経過したと判別されると（Ｓ１１４：Ｙｅｓ）、Ｓ１０８の処理と同様に、通常電力モードに移行する（Ｓ１１５）。
【０１１７】
Ｓ１１５の処理で、通常電力モードへ移行したら、裏面印刷処理を実行し（Ｓ１１６）、本処理を終了する。Ｓ１１６の裏面印刷処理は、記録部２４により所定の画像を記録し、その記録後の記録用紙１０３を、排紙トレイ２１まで排紙する処理である。なお、経路切換部４１は、記録用紙１０３の裏面の記録中または記録後に、図７（ｃ）の状態か図７（ａ）の状態へ復帰し、記録用紙１０３を排紙トレイ２１に排紙するように制御される。
【０１１８】
以上説明したように、複合機１０では、表面が印刷された記録用紙１０３を乾燥するために、その記録用紙１０３が乾燥待機状態１又は乾燥待機状態２となったら、各種センサ及びモータへの電源供給を遮断する省電力モードへ移行するので、複合機１０全体としての消費電力を抑えることができる。
【０１１９】
また、乾燥待機状態１では、第１ローラ４５と第２ローラ４６との間で記録用紙１０３が挟持されるので、第１ローラ４５への電源供給が遮断されたとしても、記録用紙１０３が落下したり、位置ズレが生じることを防止することができる。さらに、乾燥待機状態１となった記録用紙１０３の大部分は、排紙トレイ２１により下方から支持される（記録用紙１０３が略水平に支持される）ので、記録用紙１０３の落下や位置ズレを確実に防止することができる。また、乾燥待機状態２となった記録用紙１０３も給紙ローラにより挟持されると共に反転案内部１６により下方から支持されるので、記録用紙１０３の落下や位置ズレを防止することができる。
【０１２０】
例えば、本実施形態において、第１ローラ４５と第２ローラ４６とが記録用紙１０３を挟持せずに保持しているのみでは、省電力モードへ移行した場合に、記録用紙１０３が排紙トレイ２１に落下してしまい、裏面の記録ができない可能性も生じる。よって、本実施形態では、第１ローラ４５と第２ローラ４６とにより記録用紙１０３を確実に挟持する構成となっている。
【０１２１】
また、排紙トレイ２１は、ユーザが記録後の記録用紙１０３を取り出すために外部に露出しているので（図１参照）、乾燥待機状態１にある記録用紙１０３の乾燥を早めることもできる。
【０１２２】
以上、実施形態に基づき本発明を説明したが、本発明は上述した実施形態に何ら限定されるものではなく、本発明の趣旨を逸脱しない範囲内で種々の改良変更が可能であることは容易に推察できるものである。
【０１２３】
例えば、上記実施形態では、第１及び第２乾燥時間８９ｂ，８９ｃに予め定めた一定の値（乾燥時間）を記憶しておき、その一定の値を印刷処理（図６参照）で使用するものとしたが、第１及び第２乾燥時間をユーザにより適宜変更可能に構成しても良い。この構成では、第１及び第２乾燥時間８９ｂ、８９ｃに記憶されている値をＲＡＭ９０又はＥＥＰＲＯＭ９１に記憶し、そのＲＡＭ９０又はＥＥＰＲＯＭ９１に記憶されている値を変更し、その変更した値を印刷処理で使用する。また、記録部２４において吐出されるインク量などから記録用紙１０３に付着したインクが乾燥するのに適した時間を算出し、その算出した時間を印刷処理で使用するものとしても良い。
【０１２４】
また、上記実施形態では、省電力モードへ移行した場合には、ＣＰＵ８８もスリープモードに移行するものとしたが、ＣＰＵ８８により実行される印刷処理は継続して実行し、その印刷処理内で第１乾燥時間および第２乾燥時間が経過したか否かを判断するものとしても良い。
【図面の簡単な説明】
【０１２５】
【図１】本発明の一実施形態の複合機の外観斜視図である。
【図２】複合機のプリンタ部の構造を示す縦断面図である。
【図３】プリンタ部の部分拡大断面図である。
【図４】経路切換部周辺の断面構造を拡大して示した拡大断面図である。
【図５】複合機の制御部の構成を示すブロック図である。
【図６】複合機のＣＰＵで実行される印刷処理を示したフローチャートである。
【図７】裏面印刷を行う場合に状態変化する経路切換部および記録用紙の位置を示した概略図である。
【図８】省電力モードへ移行した際に電源供給を遮断するリスト及び通電を継続するリストの一例を示した図である。
【符号の説明】
【０１２６】
１０                複合機（画像記録装置の一部）
２１                排紙トレイ（排出トレイの一部）
２３                搬送路（搬送経路の一部）
２５                給紙ローラ（搬送手段の一部）
４５                第１ローラ（搬送手段の一部、挟持手段の一部）
４６                第２ローラ（挟持手段の一部）
６０                搬送ローラ（搬送手段の一部）
６２                排紙ローラ（搬送手段の一部）
７１                ＬＦモータ（駆動手段の一部）
８８                ＣＰＵ（停止手段の一部）
１０３              記録用紙（記録媒体の一つ）
Ｓ１０６，Ｓ１１３  省電力モード手段の一部
Ｓ１０７，Ｓ１１４  計測手段の一部
【図１】
2009083380.tif 000003
【図２】
2009083380.tif 000004
【図３】
2009083380.tif 000005
【図４】
2009083380.tif 000006
【図５】
2009083380.tif 000007
【図６】
2009083380.tif 000008
【図７】
2009083380.tif 000009
【図８】
2009083380.tif 000010